(57)【要約】【課題】撮影者が不用意に、あるいは無意識に行った僅かな構図変更やズーミングなどでも、露出条件が大きく変化することなく、安定して最適な露出条件で撮影が可能な撮影装置を提供すること。【解決手段】被写体光を測光する測光センサ２２と、撮影状態の変化量を検出する検出部１０〜１４と、測光センサ２２の出力に基づいて第１の値を演算した後に、測光センサ２２の出力に基づいて第２の値を演算する演算部６と、検出部１０〜１４により変化量が所定範囲以内にあると検出され、かつ、第１の値と前記第２の値との差が所定範囲を超えるとき、第１の値を用いて露出を制御する露出制御部とを２４含む撮影装置である。【選択図】図１
2009139574.tif 000002
【特許請求の範囲】
【請求項１】
被写体光を測光する測光センサと、
撮影状態の変化量を検出する検出部と、
前記測光センサの出力に基づいて第１の値を演算した後に、前記測光センサの出力に基づいて第２の値を演算する演算部と、
前記検出部により前記変化量が所定範囲以内にあると検出され、かつ、前記第１の値と前記第２の値との差が所定範囲を超えるとき、前記第１の値を用いて露出を制御する露出制御部とを含むことを特徴とする撮影装置。
【請求項２】
請求項１に記載された撮影装置であって、
前記演算部は、前記検出部により前記変化量を検出する前に前記第１の値を演算し、前記検出部により前記変化量を検出した後に前記第２の値を演算することを特徴とする撮影装置。
【請求項３】
請求項１または請求項２に記載された撮影装置であって、
前記検出部により前記変化量が所定範囲以内にあると検出され、かつ、前記第１の値と前記第２の値との差が所定範囲を超えるとき、所定の警告を発生する警告部を含むことを特徴とする撮影装置。
【請求項４】
請求項３に記載された撮影装置であって、
前記露出制御部により前記第１の値を用いて露出を制御させるか、前記警告部により所定の警告を発生させるかを選択する選択部を有することを特徴とする撮影装置。
【請求項５】
請求項１〜４のいずれかに記載された撮影装置であって、前記第１の値及び前記第２の値は露出値であることを特徴とする撮影装置。
【請求項６】
請求項１に記載された撮影装置であって、前記露出制御部は、前記第１の値と前記第２の値とが１段以上離れているとき、前記第１の値を用いて露出を制御することを特徴とする撮影装置。
【請求項７】
被写体光を測光する測光センサと、
撮影状態の変化量を検出する検出部と、
前記測光センサの出力に基づいて第１の値を演算した後に、前記測光センサの出力に基づいて第２の値を演算する演算部と、
前記検出部により前記変化量が所定範囲以内にあると検出され、かつ、前記第１の値と前記第２の値との差が所定範囲を超えるとき、所定の警告を発生する警告部とを含むことを特徴とする撮影装置。
【請求項８】
請求項１または請求項７に記載された撮影装置であって、
前記検出部は、前記撮影装置の位置の変化量、前記撮影装置の姿勢の変化量、
及び、前記第１の値が演算された第１の時刻から前記第２の値が演算された第２の時刻までの期間のうちから選択された少なくとも一つが所定範囲内であるとき、前記変化量が所定範囲以内であると判断することを特徴とする撮影装置。
【請求項９】
請求項１または請求項７に記載された撮影装置であって、
露出制御部は、光学系による像を撮像する撮像部の感度を制御する感度制御部、前記撮像部に入射する光を遮断するシャッタのスピードを制御するシャッタ制御部、前記撮像部に入射する光を制限する絞りを制御する絞り制御部のうちから選択された少なくとも１つを含むことを特徴とする撮影装置。
【請求項１０】
請求項１または請求項７に記載された撮影装置であって、
前記第１の値が演算された第１の時刻と前記第２の値が演算された第２の時刻との間に、前記第１の値を用いて少なくとも１回撮影を行う撮影部を有することを特徴とする撮影装置。
【発明の詳細な説明】
【技術分野】
【０００１】
本発明は、撮影装置に関する。
【背景技術】
【０００２】
銀塩カメラやデジタルカメラなどのカメラにおいては、カメラの初心者は、自動露出モードで撮影することが一般的である。ところが、自動露出モードでは、撮影者が不用意に、あるいは無意識に行った構図変更やズーミングのために、露出条件が大きく変化し、最適な露出条件で撮影ができない場合がある。
【０００３】
たとえば背景画像のほとんどが木々や山の緑で、白い服の人物を撮影しようとしている場合において、最初の画角において測光エリア内には明るい被写体（白い服の人物）と暗い背景（木々や山の緑）とが適度に混じり合っているとする。その場合には、自動露出モードでカメラが自動的に選ぶ露出条件は比較的に正しい露出条件が選択される。
【０００４】
この状態から急に、撮影者がカメラを操作して白い服の人物にズームアップすると、測光エリア内に白い服のみが入ることがあり、自動露出モードのカメラは、明るい被写体に撮影対象が変化したと判断し、露出を絞ることが考えられる。そのために人物が暗く写り、適正な露出条件からずれた画像となることがある。
【０００５】
また、撮影者が意図的にあるいは気づかずにスポット測光を選択し、最初の状態で適正な露出条件となっていたのに、多少構図が変化して、たとえば暗い被写体に測光スポットが合ってしまうと、自動露出モードのカメラは、たとえば暗い被写体に撮影対象が変化したと判断し、露出オーバーな画像となることがある。
【０００６】
なお、過去の撮影時における撮影位置および撮影方向などの撮影条件と、現在の撮影条件とを比較できるようにしたカメラが知られている（特許文献１参照）。
【特許文献１】特開２００４−８０３５９公報
【発明の開示】
【発明が解決しようとする課題】
【０００７】
本発明は、このような実状に鑑みてなされ、その目的は、撮影者が不用意に、あるいは無意識に行った僅かな構図変更やズーミングなどでも、露出条件が大きく変化することなく、安定して最適な露出条件で撮影が可能な撮影装置を提供することである。
【課題を解決するための手段】
【０００８】
上記目的を達成するために、本発明の第１の観点に係る撮影装置は、
被写体光を測光する測光センサ（２２）と、
撮影状態の変化量を検出する検出部（１０〜１４）と、
前記測光センサ（２２）の出力に基づいて第１の値を演算した後に、前記測光センサ（２２）の出力に基づいて第２の値を演算する演算部（６）と、
前記検出部（１０〜１４）により前記変化量が所定範囲以内にあると検出され、かつ、前記第１の値と前記第２の値との差が所定範囲を超えるとき、前記第１の値を用いて露出を制御する露出制御部（２４）とを含むことを特徴とする。
【０００９】
前記検出部（１０〜１４）により前記変化量が所定範囲以内にあると検出され、かつ、前記第１の値と前記第２の値との差が所定範囲を超えるときとは、たとえば撮影者が不用意に、あるいは無意識に行った僅かな構図変更やズーミングなどにより、露出条件が大きく変化した場合と考えられる。そのような場合には、第１の値を用いて露出を制御することで、最適な露出条件で撮影が可能になる。すなわち、本発明では、簡単な構成で不用意な露出の失敗を防止することができる。
【００１０】
前記演算部（６）は、前記検出部（１０〜１４）により前記変化量を検出する前に前記第１の値を演算し、前記検出部（１０〜１４）により前記変化量を検出した後に前記第２の値を演算してもよい。このような順序で演算と検出とを行うことで、演算および検出の効率が向上する。
【００１１】
前記撮影装置は、前記検出部（１０〜１４）により前記変化量が所定範囲以内にあると検出され、かつ、前記第１の値と前記第２の値との差が所定範囲を超えるとき、所定の警告を発生する警告部（１６）を含んでもよい。撮影者は警告を受けることで、撮影対象がそれほど大きく変化していないのに露出条件が大きく変化したことを認識することができる。
【００１２】
前記撮影装置は、前記露出制御部（２４）により前記第１の値を用いて露出を制御させるか、前記警告部（１６）により所定の警告を発生させるかを選択する選択部を有していても良い。
【００１３】
前記第１の値及び前記第２の値は露出値であっても良い。また、前記露出制御部（２４）は、前記第１の値と前記第２の値とが１段以上離れているとき、前記第１の値を用いて露出を制御してもよい。
【００１４】
本発明の第２の観点に係る撮影装置は、
被写体光を測光する測光センサ（２２）と、
撮影状態の変化量を検出する検出部（１０〜１４）と、
前記測光センサ（２２）の出力に基づいて第１の値を演算した後に、前記測光センサ（２２）の出力に基づいて第２の値を演算する演算部（６）と、
前記検出部（１０〜１４）により前記変化量が所定範囲以内にあると検出され、かつ、前記第１の値と前記第２の値との差が所定範囲を超えるとき、所定の警告を発生する警告部（１６）とを含むことを特徴とする。
【００１５】
前記検出部（１０〜１４）により前記変化量が所定範囲以内にあると検出され、かつ、前記第１の値と前記第２の値との差が所定範囲を超えるときとは、たとえば撮影者が不用意に、あるいは無意識に行った僅かな構図変更やズーミングなどにより、露出条件が大きく変化した場合と考えられる。そのような場合には、警告部（１６）から警告を発生することで、撮影者は、露出条件の変化に気がつく。そのような場合には、露出条件を確認してから撮影することで、最適な露出条件で撮影が可能になる。すなわち、本発明では、簡単な構成で不用意な露出の失敗を防止することができる。
【００１６】
本発明の第１および第２の観点において、
前記検出部（１０〜１４）は、前記撮影装置の位置の変化量、前記撮影装置の姿勢の変化量、及び、前記第１の値が演算された第１の時刻から前記第２の値が演算された第２の時刻までの期間のうちから選択された少なくとも一つが所定範囲内であるとき、前記変化量が所定範囲以内であると判断しても良い。
【００１７】
本発明の第１および第２の観点において、
露出制御部（２４）は、光学系による像を撮像する撮像部の感度を制御する感度制御部、前記撮像部に入射する光を遮断するシャッタのスピードを制御するシャッタ制御部、前記撮像部に入射する光を制限する絞りを制御する絞り制御部のうちから選択された少なくとも１つを含んでもよい。
【００１８】
本発明の第１および第２の観点において、
前記第１の値が演算された第１の時刻と前記第２の値が演算された第２の時刻との間に、前記第１の値を用いて少なくとも１回撮影を行う撮影部を有してもよい。
【００１９】
なお、本発明において、検出部（１０〜１４）としては、例えば、撮影画像の構図に影響を与える撮影装置の変化量を検出するものであれば特に限定されず、たとえばカメラの姿勢（方位・仰角）、カメラの位置あるいは高度（ＧＰＳ）、時刻、速度、加速度、角速度、角加速度、焦点距離などの変化量を検出するものであれば何でも良い。
【００２０】
また、警告部としては、特に限定されず、例えば、ディスプレイ（文字、絵）、ランプ、ＬＥＤ（点灯、点滅）、スピーカー（音）、バイブレーション（振動）により警告を発生する装置などが例示される。
【００２１】
上述の説明では、本発明をわかりやすく説明するために、実施形態を示す図面の符号に対応つけて説明したが、本発明は、これに限定されるものでない。後述の実施形態の構成を適宜改良してもよく、また、少なくとも一部を他の構成物に代替させてもよい。更に、その配置について特に限定のない構成要件は、実施形態で開示した配置に限らず、その機能を達成できる位置に配置することができる。
【発明を実施するための最良の形態】
【００２２】
以下、本発明を、図面に示す実施形態に基づき説明する。
図１は本発明の一実施形態に係るデジタルカメラのブロック図、
図２は図１に示すカメラの動作を示すフローチャート図、
図３は図２に示すカメラの動作のうちの撮影処理の詳細を示すフローチャート図、
図４（Ａ）および図４（Ｂ）は測光エリアとズーミングとの関係を示す概略図、
図５（Ａ）および図５（Ｂ）はスポット測光と構図変更との関係を示す概略図である。
【００２３】
図１に示すように、本発明の一実施形態に係るカメラ２は、デジタルカメラであり、カメラレンズ部に撮像レンズ４を有する。撮像レンズ４により、図示省略してあるカメラボディの撮像素子上に被写体像が結像される。また、カメラボディには、撮像レンズ４の焦点距離を検出する焦点距離検出部が内蔵されている。
【００２４】
さらに、カメラ２のカメラボディには、ＧＰＳ衛星からの電波を受信し現在の位置を検出するＧＰＳセンサ１０が内蔵されている。またカメラ２は、方位センサ１２および仰角センサ１４によって、現在カメラ２が撮影しようとしている方向を検出することができる。方位センサ１２および仰角センサ１４としては、たとえば地磁気センサや加速度センサ等を用いることができる。ＧＰＳセンサ１０、方位センサ１２および仰角センサ１４からの出力データは、カメラボディ内の処理装置６へと入力され、そこで情報処理され、必要に応じてメモリ８にデータが記憶される。
【００２５】
また、カメラ２のカメラボディには、情報表示部１６および操作部１８が装着してあり、情報表示部１６では、処理装置６からの制御信号に基づき、たとえばカメラボディの撮像素子で取得された被写体像を表示可能になっている。この情報表示部１６は、たとえばファインダ装置やＬＣＤなどの平面表示装置などを含み、後述する警告表示も可能になっている。また、操作部１８は、シャッタボタン、モード選択スイッチなどの各種の操作部を含み、操作部１８から入力された情報は、処理装置６で処理され、カメラの各種制御を行う。
【００２６】
処理装置６には、内蔵時計２０からの時刻データなども入力され、後述する処理が行われる。また、処理装置６には、測光センサ２２からのデータも入力され、その測光センサ２２からのデータに主として基づき、処理装置は、露出制御部２４を制御し、カメラ２の露出を制御する。測光センサ２２は、たとえば図４（Ａ）および図４（Ｂ）に示す取得画像データのうちの測光エリアＬａ内の光量を測定する。あるいは、たとえば図５（Ａ）および図５（Ｂ）に示す取得画像データのうちのスポット測光エリアＬｓ内の光量を測定する。
【００２７】
露出制御部２は、撮像素子の感度を制御する感度制御部と、撮像素子に入射する光を遮断するシャッタのスピード（露出時間とも言う）を制御するシャッタ制御部と、撮像素子に入射する光の絞りを制限する絞り制御部との少なくとも一つを有する。
【００２８】
次に、図２に基づき、図１に示すカメラ２の全体動作を説明する。カメラ２の電源が入れられると、図２に示すステップＳ１にて、図１に示すメモリ８に記憶してある各種センサの出力値データがリセットされる。その後に、ステップＳ２にて撮影処理が終了すると、ステップＳ３にて、撮影時点における図１に示す方位センサ１２にて取得された方位データを図１に示すメモリ８に記憶させる。
【００２９】
次に、ステップＳ４では、撮影時点における図１に示すＧＰＳセンサ１０にて取得されたカメラ２の地球上の位置および高さデータを、図１に示すメモリ８に記憶させる。次に、ステップＳ５では、撮影時点における図１に示す仰角センサ１４にて取得されたカメラ２の仰角データを、図１に示すメモリ８に記憶させる。その後は、ステップＳ２からステップＳ５を繰り返し、撮影が全て終了してカメラ２の電源が切られれば、制御は終了する。
【００３０】
次に、図３に基づき、撮影処理の詳細な制御について説明する。図３に示すように、最初のステップＳ１１では、図１に示す処理装置６は、操作部１８からの入力を検出して、シャッタボタンが半押し状態か否かを検出する。半押し状態を検出しない状態では、ステップＳ１１を繰り返し、半押し状態を検出すれば、ステップＳ１２に移る。
【００３１】
ステップＳ１２では、図１に示す測光センサ２２からの光量データに基づき、処理装置６は、現時点での露出値Ｅｘ＿ｎを算出する。露出値Ｅｘ＿ｎは、カメラ２がデジタルカメラであれば、撮像素子の感度データと、露出時間データと絞りデータである。なお、カメラ２が銀塩カメラである場合には、露出値Ｅｘ＿ｎは、フィルムの感度に応じた露出時間データと絞りデータである。
【００３２】
次に、あるいは、同時に、図３に示すステップＳ１４にて、図１に示す処理装置６は、内蔵時計２０からの現在の時刻データＳｃ＿ｎを取得する。次に、あるいは、同時に、図３に示すステップＳ１５にて、図１に示す処理装置６は、方位センサ１２からのデータＳｄ＿ｎと、ＧＰＳセンサ１０からのデータＳｇ＿ｎと、仰角センサ１４からのデータＳｔ＿ｎとを取得する。
【００３３】
次に、ステップＳ１６では、前回の撮影時の時刻Ｓｃ＿ｎ−１と現在の時刻データＳｃ＿ｎとの差異の絶対値が所定時間Δｃ以内か否かを図１に示す処理装置６が判断する。所定時間Δｃとしては、特に限定されないが、撮影条件が大きく変動しないような時間であり、たとえば５分間である。
【００３４】
すなわち、このステップＳ１６にて、所定時間Δｃを超えていると判断された場合には、撮影条件も変化していると考え、ステップＳ２３に行く。ステップＳ２３において、図１に示す処理装置６は操作部１８からの入力信号に基づき、全押し状態かを判別し、そうであれば、ステップＳ２４へ行き、通常の撮影動作と同様に、ステップＳ１３にて取得された現時点での露出値Ｅｘ＿ｎに基づき、撮影処理を行う。処理装置６が全押し状態を検出しない場合には、ステップＳ１１に戻る。
【００３５】
ステップＳ１６にて、所定時間Δｃ以内であると図１に示す処理装置６が判断した場合には、次に、ステップＳ１７へ行く。ステップＳ１７では、前回の撮影時の方位センサ１２からのデータＳｄ＿ｎ−１と、現在の方位センサ１２からのデータＳｄ＿ｎとの差異の絶対値が所定値Δｄ以上かを、図１に示す処理装置６が判断し、そうである場合には、ステップＳ２３へ行き、前述した通常撮影動作となる。これらの差異の絶対値が所定値Δｄ以上である場合には、撮影対象が前回とは異なると考えるべきであり、そのような場合には、ステップＳ２３へ行き、前述した通常撮影動作を行う。
【００３６】
ステップＳ１７にて、差異の絶対値が所定値Δｄ以内である場合には、撮影対象が変化していないと考えるべきであり、その場合には、ステップＳ１８へ行く。なお、所定値Δｄとしては、特に限定されないが、たとえば１度である。なお、所定値Δｄは、焦点距離情報も加味して決定されるべきであり、撮影画角に対する一定比率の値としても良い。たとえば対角撮影画角の約５％に相当する角度に設定しても良い。
【００３７】
ステップＳ１８では、前回の撮影時の仰角センサ１４からのデータＳｔ＿ｎ−１と、現在の仰角センサ１４からのデータＳｔ＿ｎとの差異の絶対値が所定値Δｔ以上かを、図１に示す処理装置６が判断し、そうである場合には、ステップＳ２３へ行き、前述した通常撮影動作を行う。これらの差異の絶対値が所定値Δｔ以上である場合には、撮影対象が前回とは異なると考えるべきであり、そのような場合には、ステップＳ２３へ行き、前述した通常撮影動作となる。
【００３８】
ステップＳ１８にて、差異の絶対値が所定値Δｔ以内である場合には、撮影対象が変化していないと考えるべきであり、その場合には、ステップＳ１９へ行く。なお、所定値Δｔは、特に限定されないが、所定値Δｄと同様にして決定される。
【００３９】
ステップＳ１９では、前回の撮影時のＧＰＳセンサ１０からのデータＳｇ＿ｎ−１と、現在のＧＰＳセンサ１０からのデータＳｇ＿ｎとの差異の絶対値が所定値Δｇ以上かを、図１に示す処理装置６が判断し、そうである場合には、ステップＳ２３へ行き、前述した通常撮影動作となる。これらの差異の絶対値が所定値Δｇ以上である場合には、カメラ２が地上を相当距離で移動して、撮影対象が前回とは異なると考えるべきであり、そのような場合には、ステップＳ２３へ行き、前述した通常撮影動作となる。
【００４０】
ステップＳ１９にて、差異の絶対値が所定値Δｇ以内である場合には、カメラ２がほとんど移動しておらず、撮影対象が変化していないと考えるべきであり、その場合には、ステップＳ２０へ行く。なお、所定値Δｇとしては、特に限定されないが、露出条件が変化する距離として決定され、たとえば１０ｍである。
【００４１】
ステップＳ２０では、前回の撮影時の露出値Ｅｘ＿ｎ−１と、現在の露出値Ｅｘ＿ｎとの差異の絶対値が所定値ΔＥｘ以上かを、図１に示す処理装置６が判断し、そうである場合には、ステップＳ２１へ行く。所定値ΔＥｘとしては、特に限定されないが、たとえば絞りまたは露出時間が一段以上違う場合である。また、所定値ΔＥｘは、例えば１〜２段程度であることが好ましい。また、所定値ΔＥｘは、例えば、１段以下であってもよい。
【００４２】
ステップＳ２１では、図１に示す処理装置６は、情報表示部１６に警告の表示を行う。警告の内容としては、ステップＳ１６〜ステップＳ２０を通過した結果、ごく短い時間の間に、カメラ２の方向や仰角や位置が変化していないのに、「露出値が大幅に変化している」ことを警告する内容である。
【００４３】
そのような場合としては、たとえば図４（Ａ）に示すように、たとえば背景画像のほとんどが木々や山の緑で、白い服の人物を、前回の撮影時では撮影しており、その後に、図４（Ｂ）に示すように、撮影者がカメラ２を操作して白い服の人物にズームアップして撮影しようとしたような場合である。前回の撮影時には、図４（Ａ）に示すように、最初の画角において測光エリアＬａ内には明るい被写体（白い服の人物）と暗い背景（木々や山の緑）とが適度に混じり合っているとする。その場合には、自動露出モードでカメラが自動的に選ぶ露出値Ｅｘ＿ｎ−１は比較的に正しい露出条件が選択される。
【００４４】
この状態から急に、図４（Ｂ）に示すように、撮影者がカメラ２を操作して白い服の人物にズームアップすると、測光エリアＬａ内に白い服のみが入ることがあり、自動露出モードのカメラ２の処理装置６は、測光センサ２２からの入力データに基づき、明るい被写体に撮影対象が変化したと判断し、図３に示すステップＳ１３にて演算される現在の露出値Ｅｘ＿ｎは、前回の露出値Ｅｘ＿ｎ−１に比較してアンダーになる。そのために、現在の露出値Ｅｘ＿ｎにてステップＳ２４の撮影処理が行われると、人物が暗く写り、適正な露出条件からずれた画像となることがある。
【００４５】
また、図５（Ａ）に示すように、撮影者が意図的にあるいは気づかずにスポット測光エリアＬｓを選択し、最初の状態で適正な露出値Ｅｘ＿ｎ−１で撮影した後に、たとえば図５（Ｂ）に示すように、暗い被写体にスポット測光エリアＬｓを合ててしまう場合がある。暗い被写体にスポット測光エリアＬｓが合ってしまうと、自動露出モードのカメラ２は、たとえば暗い被写体に撮影対象が変化したと判断して、図３に示すステップＳ１３にて演算される現在の露出値Ｅｘ＿ｎは、前回の露出値Ｅｘ＿ｎ−１に比較してオーバーになる。そのために、現在の露出値Ｅｘ＿ｎにてステップＳ２４の撮影処理が行われると、露出オーバーな画像となることがある。
【００４６】
そこで、本実施形態では、そのような場合には、図３に示すステップＳ１６〜ステップＳ２０からステップＳ２１へ行き、図１に示す処理装置６は、情報表示部１６に警告を表示し、撮影者に警告を出すことができる。撮影者は、その警告を見て、露出を再調整し、その後に、撮影を行ったり、そのままステップＳ２２、Ｓ２３およびＳ２４へ行き、撮影処理を行うこともできる。
【００４７】
また、本実施形態では、ステップＳ２１では、警告処理のみでなく、警告処理と共に、あるいは警告処理の代わりに、図１に示す処理装置６は、現在の露出値Ｅｘ＿ｎを、前回の露出値Ｅｘ＿ｎ−１に自動的に置き換える処理を行い、その前回の露出値Ｅｘ＿ｎ−１にて、ステップＳ２４にて撮影が行われるようにしても良い。その場合には、図１に示す処理装置６が露出制御部２４に制御信号を送り、前回の露出値Ｅｘ＿ｎ−１となるように絞りおよび露出時間を制御する。
【００４８】
あるいは、複数の前回の露出値Ｅｘ＿ｎ−１、Ｅｘ＿ｎ−２、Ｅｘ＿ｎ−３…の平均値を図１に示す処理装置６が演算して、その平均値で、現在の露出値Ｅｘ＿ｎを自動的に置き換える処理を行い、その前回の露出値の平均値にて、ステップＳ２４にて撮影が行われるようにしても良い。
【００４９】
また、ステップＳ２１には、警告を発生する前に、撮影者からの選択信号に基づき、警告を発生させるか、あるいは、上記のように露出値の置き替え制御を行うかの選択ステップを追加しても良い。
【００５０】
あるいは、撮影者が、撮影した複数の画像を見ながら、ベストな画像を選択し、そのベストな画像に対応する前回の露出値Ｅｘ＿ｎ−１で、ステップＳ２４にて撮影が行われるようにしても良い。
【００５１】
本実施形態のカメラ２では、上述したように、撮影者が不用意に、あるいは無意識に行った僅かな構図変更やズーミングなどでも、露出条件を大きく変化することなく、安定して最適な露出条件で撮影が可能になる。すなわち、本実施形態のカメラ２では、簡単な構成で不用意な露出の失敗を防止することができる。
【００５２】
なお、本発明は、上述した実施形態に限定されるものではなく、本発明の範囲内で種々に改変することができる。
【００５３】
たとえば、上述した実施形態では、図３に示すステップＳ２１において、図１に示す情報表示部１６にて警告表示を行ったが、情報表示部１６の警告表示の代わりに、ランプやＬＥＤの点灯または点滅による警告表示、スピーカーなどによる警告音、バイブレーション（振動）による警告などであっても良い。
【００５４】
また、上記の実施形態では、前回の撮影時の露出値Ｅｘ＿ｎ−１を、現在の露出値Ｅｘ＿ｎと置き換え制御したが、本発明では、必ずしも前回の撮影時の露出値ではなく、撮影することなく記憶された前回の半押し時の露出値Ｅｘ＿ｎ−１で置き換えるようにしても良い。
【００５５】
さらにまた上述した実施形態では、デジタルスチルカメラについて説明したが、本発明に係る撮影装置は、銀塩カメラでも良く、さらには、ビデオカメラであっても良い。また、携帯電話などの小型機器のカメラにも応用することができる。
【図面の簡単な説明】
【００５６】
【図１】図１は本発明の一実施形態に係るデジタルカメラのブロック図である。
【図２】図２は図１に示すカメラの動作を示すフローチャート図である。
【図３】図３は図２に示すカメラの動作のうちの撮影処理の詳細を示すフローチャート図である。
【図４】図４（Ａ）および図４（Ｂ）は測光エリアとズーミングとの関係を示す概略図である。
【図５】図５（Ａ）および図５（Ｂ）はスポット測光と構図変更との関係を示す概略図である。
【符号の説明】
【００５７】
２…  カメラ
４…  撮影レンズ
６…  処理装置
８…  メモリ
１０…  ＧＰＳセンサ
１２…  方位センサ
１４…  仰角センサ
１６…  情報表示部
１８…  操作部
２０…  内蔵時計
２２…  測光センサ
２４…  露出制御部
【図１】
2009139574.tif 000003
【図２】
2009139574.tif 000004
【図３】
2009139574.tif 000005
【図４】
2009139574.tif 000006
【図５】
2009139574.tif 000007